(57)【要約】【課題】ホームページの画像などのコンテンツを簡単に引き立たせる装飾方法を提供すること。【解決手段】１つのアニメーション画像から、１コマずつ、ずらしたアニメーション画像を生成し、順番に配置していくことで、電光掲示板のように画像が流れる視覚効果を得る。【選択図】図５
2008276720.tif 000002
【特許請求の範囲】
【請求項１】
複数の画像からなり時間で切り替わるアニメーション画像の表示順番を変えたアニメーション画像を作成する手段、作成されたアニメーション画像を線分、あるいは、閉曲線上に配置表示するＨＴＭＬ文を生成する手段を具備することを特徴とし、作成されたＨＴＭＬ文をＨＴＭＬファイルに組み込むことで電光掲示板のような装飾効果を得られる電飾効果画像作成方法。
【請求項２】
複数の画像からなり時間で切り替わるアニメーション画像を個々の画像に分解生成する手段、作成された個々の画像を線分、あるいは、閉曲線上に配置する位置に時間で個々の画像が切り替わり表示されるようにスクリプトを生成する手段を具備することを特徴とし、作成されたスクリプトをＨＴＭＬファイルに組み込むことで、電光掲示板のような装飾効果を得られる電飾効果画像作成方法。
【発明の詳細な説明】
【技術分野】
【０００１】  本発明は、アニメーション画像の表示順番を変更して線分、あるいは、閉曲線上に配置することによって電光掲示板のような装飾効果を得る画像表示方法に関する。
【背景技術】
【０００２】  ホームページに表示される画像などのコンテンツを動きによって引き立たせる方法として、アニメーションＧＩＦ画像、フラッシュなどの動画制御技術が知られている。
【発明の開示】
【発明が解決しようとする課題】
【０００３】  しかしながら、アニメーションＧＩＦ画像では、コンテンツの面を引き立たせるというよりアニメーションＧＩＦ画像を配置した点を引き立たせるものであり、コンテンツ全体を引き立たせるには役不足である。
一方、フラッシュなどの動画制御技術は専用のスクリプトを覚えなければならない、専用の画像作成アプリケーションに頼らなければならないなど、簡易性に欠ける実情がある。
本発明では、１つのアニメーション画像があれば、コンテンツの面を囲む閉曲線上に元になるアニメーション画像の表示順番を変えたアニメーション画像を配置していくことで、コンテンツの面を引き立たせることを課題とする。
【課題を解決するための手段】
【０００４】  請求項１記載の発明は、第１図の星がきらめいているアニメーション画像から、第２図のように一コマずつ、ずらしたコマ数分のアニメーション画像１（５），アニメーション画像２（６），アニメーション画像３（７），アニメーション画像４（８）を生成する。
第３図に於いて、位置１（１）にアニメーション画像１（５）、位置２（２）にアニメーション画像２（６）、位置３（３）にアニメーション画像３（７）、位置４（４）にアニメーション画像４（８）を配置する。
第４図に於いて、アニメーション画像１（５），アニメーション画像２（６），アニメーション画像３（７），アニメーション画像４（８）を表示するためのＨＴＭＬ文を作成する。
まず、位置１（１）の座標値をアニメーション１Ｘ座標値（１３）、アニメーション１Ｙ座標値（９）に記述し、アニメーション画像１（５）を示すアニメーション１ファイル名（１７）を記述する。
位置２（２）の座標値をアニメーション２Ｘ座標値（１４）、アニメーション２Ｙ座標値（１０）に記述し、アニメーション画像２（６）を示すアニメーション２ファイル名（１８）を記述する。
位置３（３）の座標値をアニメーション３Ｘ座標値（１５）、アニメーション３Ｙ座標値（１１）に記述し、アニメーション画像３（７）を示すアニメーション３ファイル名（１９）を記述する。
位置４（４）の座標値をアニメーション４Ｘ座標値（１６）、アニメーション４Ｙ座標値（１２）に記述し、アニメーション画像４（８）を示すアニメーション４ファイル名（２０）を記述する。
第５図に於いて、アニメーション画像１（５），アニメーション画像２（６），アニメーション画像３（７），アニメーション画像４（８）のコマ数分を１セットとした整数倍の個数のアニメーション画像を閉曲線（２１）上に等間隔に配置する。
第３図、第４図で説明した方法でＨＴＭＬ文を作成し、ホームページ上のコンテンツを囲むように、ＨＴＭＬファイル上の位置を調整して組み込む。【０００５】  請求項２記載の発明は、第６図に於いて、第１図の星がきらめいているアニメーション画像から、一コマずつ抽出し、コマ数分の画像１（２２），画像２（２３），画像３（２４），画像４（２５）を生成する。
初期配置として、位置１（１）に画像１（２２）、位置２（２）に画像２（２３）、位置３（３）に画像３（２４）、位置４（４）に画像４（２５）を配置する。
第９図に於いて、画像１（２２）、画像２（２３）、画像３（２４）、画像４（２５）を初期配置するＨＴＭＬ文と、一定時間ごとに表示位置を変えるスクリプトを示す。
Ｓ１で位置情報と、変数を初期化する。
Ｓ２で一定時間ごとにＤｅｎｋｏという関数のスクリプトが実行されるようにする。
Ｓ３で配列ポインタの訂正化を行う。
Ｓ４で画像数分繰り返し処理を行う。
Ｓ５で配列ポインタの訂正化を行う。
Ｓ６で新しい位置に画像を移動する。
Ｓ７で配列ポインタをずらす。
この一連の処理により、一定時間毎に画像１（２２）、画像２（２３）、画像３（２４）、画像４（２５）の表示位置をずらし、見かけ上は請求項１の発明と同じ効果を得られるものである。
【発明の効果】
【０００６】  本発明は、１コマずつ、ずらしたアニメーション画像を順番に配置することで、電光掲示板のように画像が流れる視覚効果を得られる。
閉曲線では、コマ数分を１セットとした整数倍の個数のアニメーション画像を等間隔に配置することで、閉曲線上をエンドレスに電光掲示板のように画像が流れる視覚効果を得られる。
【発明を実施するための最良の形態】
【０００７】  請求項１では、第４図に示すＨＴＭＬ文、請求項２では、第９図に示すスクリプト文を、ホームページを構成するＨＴＭＬファイルのテキストの表示したいコンテンツのある位置に挿入することで、本発明の目的であるコンテンツを引き立たせる電光掲示板のような装飾効果を実現できる。
【図面の簡単な説明】
【０００８】
【図１】本発明の元になるアニメーション画像を構成するコマ毎の画像を表にした図である。
【図２】本発明の請求項１で作成されるアニメーション画像を示し、縦軸に作成される個々のアニメーション画像、横軸にアニメーション画像を構成するコマ毎の画像を表にした図である。
【図３】本発明の請求項１の線上に配置されたアニメーション画像を示す図である。
【図４】本発明の請求項１の生成するＨＴＭＬ文を示す。
【図５】本発明の閉曲線に配置されたアニメーション画像を示す図である。
【図６】本発明の請求項２の線上に配置されたアニメーション画像を示す図である。
【図７】本発明の請求項２で作成されるスクリプトの初期化処理のフローチャート。
【図８】本発明の請求項２で作成されるスクリプトの間欠処理のフローチャート。
【図９】本発明の請求項２で作成されるスクリプトを示す。
【符号の説明】
【０００９】  １  位置１                        ２  位置２
３  位置３                        ４  位置４
５  アニメーション画像１          ６  アニメーション画像２
７  アニメーション画像３          ８  アニメーション画像４
９  アニメーション１Ｙ座標値    １０  アニメーション２Ｙ座標値
１１  アニメーション３Ｙ座標値    １２  アニメーション４Ｙ座標値
１３  アニメーション１Ｘ座標値    １４  アニメーション２Ｘ座標値
１５  アニメーション３Ｘ座標値    １６  アニメーション４Ｘ座標値
１７  アニメーション１ファイル名  １８  アニメーション２ファイル名
１９  アニメーション３ファイル名  ２０  アニメーション４ファイル名
２１  閉曲線                      ２２  画像１
２３  画像２                      ２４  画像３
２５  画像４
【図１】
2008276720.tif 000003
【図２】
2008276720.tif 000004
【図３】
2008276720.tif 000005
【図４】
2008276720.tif 000006
【図５】
2008276720.tif 000007
【図６】
2008276720.tif 000008
【図７】
2008276720.tif 000009
【図８】
2008276720.tif 000010
【図９】
2008276720.tif 000011